(57)【要約】【課題】小型で取扱性が良く，且つ，利得の高いテレビ受信用アンテナ装置を提供する。【解決手段】ブーム１０の一端側には複数のエレメントからなる反射器５を，他方には放射器２を配設してなるアンテナ装置において，前記反射器５は，エレメントの一方端を相互に固定手段２０でもって固定されると共に，他方端も相互に固定手段２０でもって固定されることで，反射器５の外形形状が略四角形状に構成されており，前記放射器２は，四角形状の２つのループが一面を互いに共有した，スケルトンスロットアンテナから成る。【選択図】  図１
2005117137.tif 000002
【特許請求の範囲】
【請求項１】
ブームの一端側には複数のエレメントからなる反射器を，他方には放射器を配設してなるアンテナ装置において，
前記反射器は，エレメントの一方端を相互に固定手段でもって固定されると共に，他方端も相互に固定手段でもって固定されることで，反射器の外形形状が略四角形状に構成されており，
前記放射器は，四角形状の２つのループが一辺を互いに共有した，スケルトンスロットアンテナから成ることを特徴としたテレビ受信用アンテナ装置。
【発明の詳細な説明】
【技術分野】
【０００１】
本発明は，主にテレビ信号を受信するアンテナに関し，詳しくは高利得でも小型であり，取扱いの容易なテレビ受信用アンテナ装置に関する。
【背景技術】
【０００２】
ブームの一端側には反射器を，他方には放射器を配設してなる従来のアンテナには，放射器として半波長ダイポールを用いたものがある。
この種のアンテナは，導波器のない構成となっていることから，全体の形状がコンパクトになっており，この為その取り付け場所は，家屋の屋根に備えたアンテナマストばかりでなく，ベランダや壁面等にも容易に取り付けができるように構成されている。
（例えば，特許文献１参照）
【０００３】
【特許文献１】実開昭５９−１６６５０５号公報
【発明の開示】
【発明が解決しようとする課題】
【０００４】
ところが，従来のアンテナは導波器のない構成となっているので，多素子八木アンテナと比較してアンテナ利得が低いといった問題があった。更に全体の形状がコンパクトに形成されていることから取扱性が良く，取り付け場所は家屋の屋根に備えたアンテナマストばかりでなく，ベランダや壁面等にも簡単な工事で設置が可能であることから，線状のエレメントで構成されたアンテナでは，各エレメントの先端が，アンテナ取付時や設置後に危険であったり，邪魔になったり後する問題があった。
そこで本願は，こうした問題点を解決するためになされたものであり，
その目的は，小型で利得の高いテレビ受信用アンテナ装置を提供することにある。
他の目的は，小型で取扱性の良いテレビ受信用アンテナ装置を提供することにある。
他の目的は，流通コストを低減可能な小型のテレビ受信用アンテナ装置を提供することにある。
他の目的は，省資源化を可能にする小型のテレビ受信用アンテナ装置を提供することにある。
【課題を解決するための手段】
【０００５】
上記課題を解決するために，請求項１の発明は，ブームの一端側には複数のエレメントからなる反射器を，他方には放射器を配設してなるアンテナ装置において，
前記反射器は，エレメントの一方端を相互に固定手段でもって固定されると共に，他方端も相互に固定手段でもって固定されることで，反射器の外形形状が略四角形状に構成されており，
前記放射器は，四角形状の２つのループが一辺を互いに共有した，スケルトンスロットアンテナで構成される。
【発明の効果】
【０００６】
以上詳述したように，請求項１の発明によれば，ブームの一端側には複数のエレメントからなる反射器を，他方には放射器を配設してなるアンテナ装置において，
前記反射器は，エレメントの一方端を相互に固定手段でもって固定されると共に，他方端も相互に固定手段でもって固定されることで，反射器の外形形状が略四角形状に構成されており，
前記放射器は，四角形状の２つのループが一辺を互いに共有した，スケルトンスロットアンテナで構成されるので，小型化しても良好な利得が得られ，更にはこのスケルトンスロットアンテナの４方向の角部はＲを大きくとった構成となっているので取付時や取付後に危険となる事はない。
反射器には，反射器を構成するエレメントの先端部を相互に固定する固定手段を設けると共に，反射器の上下方向にも固定手段を備えたので，加えて当該固定手段は樹脂材料で形成されているので，特に反射器によって，危険であったり，邪魔になったりすることのないアンテナ装置を提供できるのである。
【発明を実施するための最良の形態】
【０００７】
以下に，本発明を具体化した実施形態の例を，図面を基に詳細に説明する。
図１は本発明に係るテレビ受信用アンテナ装置の実施例を示す（ａ）は正面図であり，（ｂ）は側面図である。図２は本発明の実施例を示す斜視図である。図３，図４は本発明の他の実施例である。
【実施例１】
【０００８】
１は本発明に係るテレビ受信用アンテナ装置である。（以下，特に明示しない限りアンテナ装置と呼ぶ。）
このアンテナ装置１において，２は本発明のアンテナ装置１の放射器となるスケルトンスロットアンテナであり，ブーム１０の一端側に設置されている。３はこのスケルトンスロットアンテナの給電部である。
５はブーム１０の他方に設置されている反射器であり，本願の反射器は複数の線状のエレメントからなり，それを２分する形で上側（ここで上側，下側というのは図における配置における方向を示す，以下特に断りのない場合も同様である。）の反射器６と下側の反射器７とから構成されている。
ブーム５には図１に示されているように，周知の支持金具３０が組み付けられており，建造物（例えば，アンテナマスト，ベランダ，壁面等）への取付が可能となっている。
【０００９】
次にスケルトンスロットアンテナ２について詳しく説明する。このスケルトンスロットアンテナは，四角形状の２つのループが一辺を互いに共有した形状に，金属材料を金型等で一体に成型したものである。このスケルトンスロットアンテナ２の給電部３は，高周波特性に影響しない樹脂材料で成形されたケースで覆われており，防水性等の信頼性をもたせている。更にこの樹脂ケースは，前記ブーム１０の先端部と嵌合する固着部が同時に形成されており，螺子等の固着手段でもって簡単に取り付けられる構造であると共に，電気的特性に影響しない固着方法になっている。
【００１０】
アンテナ給電部３の下方側には，前記スケルトンスロットアンテナ２と引き込み線(同軸ケーブル。図示されていない)との接続を可能にする接続端子３ａが設けられている。本発明の実施例では，前記接続端子３ａはＦ型接栓であり，給電部３から突設するように構成されている。また，Ｆ型接栓３ａの周径方向には，前記給電部３と一体に成形された円筒状の水切り３ｂが形成されており，給電部３及び接続端子３ａ等への雨水等の浸入を防止している。
尚，接続端子３ａはＦ型接栓の例を示したが，給電部３内で同軸ケーブを直付けする方法でもよく，その方法は問わない。
また，接続端子３ａの突出方向は，給電部３の後側からブーム１０方向（奥行方向）に突設させることで，同軸ケーブルをブーム方向に沿わせて配線することが容易にできる構成例を示したが，給電部の底面側から突設させれば，更に防水性が良い給電部となる。
【００１１】
次に，反射器５について説明する。複数のエレメントからなる上側の反射器６と，下側の反射器７とから構成されている。
反射器６，７は夫々，エレメント固定金具１１と，当該エレメント固定金具１１に挿通され固着された複数本の線状のエレメント６ａ，６ａ・・・，７ａ，７ａ・・・と，当該エレメントの先端部を相互に固着するための固定手段２０とからなる。
エレメント長，及び，各エレメント間の間隔は，受信周波数によって最適化されている。
【００１２】
固定手段２０ａ，２０ｂ，２０ｃ，２０ｄは，反射器６の外周を囲むように設けられており，本願の実施例では合成樹脂材料で成形されたものである。固定手段２０ａ，２０ｃは各エレメントの先端を覆うと共に，各先端部を相互に固定するためのもので，断面略コ字型に形成されている。
また，固定手段２０ｂ，２０ｄも断面コ字型に形成されており，反射器の上外側と，下外側のエレメントを覆うように配設され，当該固定手段２０ｂ，２０ｄの両端部は，前記固定手段２０ａ，２０ｃの両端部と嵌合しており，夫々任意の方法でもて固着されている。下側の反射器も同様な構成となっているが，下側の反射器７は，上記上側の反射器６とは上下を反対に取り付けられるので，説明も反対になる。このように構成された反射器６，７は，ブーム１０に固着される。
尚，本願の実施例では，固定手段２０ｂ，２０ｄはエレメントを覆うように構成した例を示したが，この実施例に限定されるものではなく，最も外側にあるエレメントよりも外側に配設して，前記固定手段２０ａ，２０ｃと固着するように構成しても良い。
【００１３】
次に，ブーム１０に前記反射器６及び７を取り付ける方法を示す。ブーム１０には反射器取付金具１２が取り付けられている。反射器取付金具１２は，図１に示すように，側面から見た形状は略Ｔ字型をしており，その側面方向と直交する面の断面図は略Ｕ字型をしている。そして，この取付金具１２の略中央には，挿通孔が形成されており，当該挿通孔には前記ブーム１０の他方端側からブームが挿通される。反射器取付金具１２の側面中央部の突出部には取付孔が形成されており，当該取付孔とブーム１０に形成された取付孔とを嵌合させて，取付金具１２の外側方向から，例えばネジとナットの組合せによる固着手段でもって，取付金具１２とブーム１０の固着を行っている。
【００１４】
こうして，反射器取付金具１２をブーム１０に取り付けたのなら，反射器６，７を反射器取付金具１２の後側に当接させる。この時，取付金具１２に形成した反射器取付孔とエレメント取付金具１１に形成した取付孔とを嵌合させて，更には反射器の後方側から，前記エレメント取付金具１１に形成した取付孔と相対向する位置に取付孔を形成した当付板１３を当て付け，当該当付板１３と反射器取付金具１２とでもって反射器を挟み込んで固着するのである。
【００１５】
このように構成されたアンテナ装置のブーム１０の他方側には，周知の支持金具３０が備えられており，図で示すようなアンテナマスト３１に設置するだけでなく，ベランダや壁面等にも容易に設置可能となるのである。
アンテナ装置１の小型化は，アンテナ装置の取り付け性や取り扱い性が容易とし，この結果，アンテナの各先端部が取り付け時に危険になったり，設置後にも邪魔になったり，危険であるようになった。しかしながら本願の実施例のように，放射器２は四角形状の２つのループが一辺を互いに共有した，スケルトンスロットアンテナ２でもって構成されているので，小型化しても良好な利得が得られ，更にはこのスケルトンスロットアンテナの４方向の角部はＲを大きくとった構成となっているので取付時や取付後に危険となる事はない。
反射器６，７には，反射器を構成するエレメントの先端部を相互に固定する固定手段２０ａ，２０ｃを設けると共に，反射器の上下方向にも固定手段２０ｂ，２０ｄを備えたので，加えて当該固定手段は樹脂材料で形成されているので，特に反射器によって，危険であったり，邪魔になったりすることのないアンテナ装置を提供できるのである。
【００１６】
尚，本発明は上記実施例の形態に限定されるものではなく，例えば，図３に示すように，反射器５を一つで形成しても良いし，図４に示すように反射器の先端部を固定する固定手段を分割して，エレメントの先端部を固定する方法でもよく，本発明の趣旨を逸脱しない範囲で各部の構成や組合わせを適宜に変更して実施することも可能である。
【図面の簡単な説明】
【００１７】
【図１】本発明に係るテレビ受信用アンテナ装置の（ａ）は図１の正面図であり，（ｂ）は側面図である。実施例を示す斜視図である。
【図２】実施例を示す斜視図である。
【図３】本発明の他の実施例を示す斜視図である。
【図４】本発明の他の実施例を示す斜視図である。
【符号の説明】
【００１８】
１…テレビ受信用アンテナ装置，２…スケルトンスロットアンテナ（放射器），３…給電部，３ａ…接続端子，３ｂ…水切り（円筒体），５…反射器，６…上側の反射器，６ａ…エレメント，７…下側の反射器，７ａ…エレメント，１０…ブーム，１１…エレメント固定金具，１２…反射器取付金具，１３…当付板，２０（２０ａ，２０ｂ，２０Ｃ，２０ｄ）…固定手段，３０…支持金具，３１…アンテナマスト
【図１】
2005117137.tif 000003
【図２】
2005117137.tif 000004
【図３】
2005117137.tif 000005
【図４】
2005117137.tif 000006